(57)【特許請求の範囲】
【請求項１】
所定の駆動手段による駆動力を受け、円弧の一定範囲内を振り子運動する本体の遠心方向遊端部寄りに中空固定軸を同本体の振り子運動方向に対し直交方向に設けたベース体と、プレート面を前記ベース体の中空固定軸における軸方向に向けてこの中空固定軸の径方向外側に遊嵌できる重心がプレート下方に位置するプレート部材Ａ、プレート面を前記ベース体の中空固定軸における軸方向に向けてこの中空固定軸の径方向外側に固定できるプレート部材Ｂ、プレート面に対し直交方向にかつ前記ベース体の中空固定軸内に遊貫できる固定軸を設けた重心がプレート下方に位置するプレート体と、前記中空固定軸内に遊貫したプレート体の固定軸にプレート面と並行に固定できかつ両遊端部寄りにそれぞれマグネットを設けたアーム体と、アーム体のマグネットとの間に磁気作用を生じさせる少なくとも１つ以上の外部マグネットより構成するプレート部材Ｃよりなり、前記プレート部材Ｃと、前記プレート部材Ａ，Ｂのうち少なくとも１つのプレート部材を、前記ベース体と組み合わせて構成してなる揺動装置の装飾体。
【請求項２】
前記ベース体に、少なくとも中空固定軸とともにこの中空固定軸にセットしたプレート部材のプレートを囲繞する少なくとも前面が透明乃至半透明のカバー部材を設けてなる請求項１に記載の揺動装置の装飾体。
【請求項３】
前記カバー部材内の前面部位に、前記中空固定軸にセットしたプレート部材のプレート面を対峙させた請求項２に記載の揺動装置の装飾体。
【請求項４】
前記プレート部材Ｃにおけるアーム体のマグネット乃至外部マグネットにおける所定部位のマグネットを、磁気吸着可能な金属体に替えて構成してなる請求項１に記載の揺動装置の装飾体。
【請求項５】
前記プレート部材Ａ、Ｂ、Ｃを、透明乃至半透明のプレート材によって形成してなる請求項１に記載の揺動装置の装飾体。
【請求項６】
前記ベース体と組み合わせて構成されるプレート部材の少なくとも２つに、被表現体たる平面画を、平面画内における任意の奥行き深度の画部分をそれぞれ表示するとともに奥行き深度に対応させてプレート部材を前記ベース体の中空固定軸に層設し、同ベース体を所定の駆動手段による駆動力によって円弧の一定範囲内を振り子運動させてなる請求項１に記載の揺動装置の装飾体。
【発明の詳細な説明】
【技術分野】
【０００１】
本発明は、時計の振り子など揺動装置の装飾体に関し、より詳しくは、装飾体が振り子運動するなかで、装飾体に動的変化が生じるようにした揺動装置の装飾体に関する。
【背景技術】
【０００２】
時計の振り子は、電磁誘導などを利用して振り子の揺動を持続させる揺動装置により円弧の一定範囲内を振り子運動していて、また、この揺動する振り子を見ることにより時計が動作していることを容易に確認できる。
【０００３】
また振り子には、振り子内に回動体などの動体を設けているもの（特許文献１参照）もあり、時計を見て時間を確認する他にも、振り子内で動く動体を見て楽しめるようにしているものもある。
【０００４】
しかしながら、振り子内で動く動体を見て楽しめるのは最初のうちだけであって、直ぐに飽きられてしまうことが多々あった。
【先行技術文献】
【特許文献】
【０００５】
【特許文献１】特開平１１−２４２０８２号公報（第１〜６頁、図１〜４）
【発明の概要】
【発明が解決しようとする課題】
【０００６】
本発明の目的とするところは、円弧の一定範囲内を振り子運動する装飾体に、今までにない変化に富んだ動きができるようにして、見る者が長期に亘り楽しめる揺動装置の装飾体を提供できるようにすることにある。
【課題を解決するための手段】
【０００７】
上述した課題を解決するために、本発明に係る揺動装置の装飾体は、所定の駆動手段による駆動力を受け、円弧の一定範囲内を振り子運動する本体の遠心方向遊端部寄りに中空固定軸を同本体の振り子運動方向に対し直交方向に設けたベース体と、プレート面を前記ベース体の中空固定軸における軸方向に向けてこの中空固定軸の径方向外側に遊嵌できる重心がプレート下方に位置するプレート部材Ａ、プレート面を前記ベース体の中空固定軸における軸方向に向けてこの中空固定軸の径方向外側に固定できるプレート部材Ｂ、プレート面に対し直交方向にかつ前記ベース体の中空固定軸内に遊貫できる固定軸を設けた重心がプレート下方に位置するプレート体と、前記中空固定軸内に遊貫したプレート体の固定軸にプレート面と並行に固定できかつ両遊端部寄りにそれぞれマグネットを設けたアーム体と、アーム体のマグネットとの間に磁気作用を生じさせる少なくとも１つ以上の外部マグネットより構成するプレート部材Ｃよりなり、前記プレート部材Ｃと、前記プレート部材Ａ，Ｂのうち少なくとも１つのプレート部材を、前記ベース体と組み合わせて構成したものとしてある。
【０００８】
また、前記ベース体に、少なくとも中空固定軸とともにこの中空固定軸にセットしたプレート部材のプレートを囲繞する少なくとも前面が透明乃至半透明のカバー部材を設けたものとしてある。
【０００９】
また、前記カバー部材内の前面部位に、前記中空固定軸にセットしたプレート部材のプレート面を対峙させたものとしてある。
【００１０】
また、前記プレート部材Ｃにおけるアーム体のマグネット乃至外部マグネットにおける所定部位のマグネットを、磁気吸着可能な金属体に替えて構成したものとしてある。
【００１１】
また、前記プレート部材Ｃにおけるプレート体が、プレート体の固定軸にアーム体を固定することにより、プレート体の重心が同下方に位置するように構成したものとしてある。
【００１２】
また、前記プレート部材Ａ、Ｂ、Ｃを、透明乃至半透明のプレート材によって形成したものとしてある。
【００１３】
また、前記プレート部材Ａ、Ｂ、Ｃを、これらプレート部材の初期位置となるベース体が鉛直線方向に位置するところにおいて鉛直線方向に湾曲する形状、または、周縁よりも中央を落ち込ませた椀状に形成したものとしてある。
【００１４】
また、前記ベース体と組み合わせて構成されるプレート部材の少なくとも２つに、被表現体たる平面画を、平面画内における任意の奥行き深度の画部分をそれぞれ表示するとともに奥行き深度に対応させてプレート部材を前記ベース体の中空固定軸に層設し、同ベース体を所定の駆動手段による駆動力によって円弧の一定範囲内を振り子運動させたものとしてある。
【発明の効果】
【００１５】
本発明に係る揺動装置の装飾体によれば、例えば平面画を、平面画内における任意の奥行き深度に対応させて装飾体たるプレート部材Ａ、Ｂ、Ｃに表示してこのプレート部材Ａ、Ｂ、Ｃを奥行き深度に対応させてベース体の中空固定軸に層設すれば、ベース体が所定の駆動手段により円弧の一定範囲内を振り子運動した際に、プレート部材Ａ、Ｂ、Ｃをベース体の中空固定軸の前方より見ることで平面画を動画的に見ることができる。
【００１６】
したがって、本発明の装飾体を時計の振り子に用いれば、今までにない変化に富んだ動きをする振り子として、見る者を長期に亘り楽しませることができる。
【００１７】
また、本発明の装飾体を店舗に置かれる電動スイングＰＯＰに用いれば、立体的にかつ動きのある商品紹介を行うことができて、客へのアピール度を非常に大なるものにすることができる。
【００１８】
さらには、新規の動くインテリア装飾としてインテリア商品にも用いることができる。
【図面の簡単な説明】
【００１９】
【図１】本発明に係る揺動装置の装飾体における実施例の構成を示す斜視図。
【図２】プレート部材Ａ、Ｂ、Ｃをセットした状態の装飾体を示す側面図。
【図３】図２における装飾体の分解側面図。
【図４】ベース体にカバー部材を設けた装飾体を示す斜視図。
【図５】プレート部材Ａ、Ｂ、Ｃをセットした状態の装飾体を示す側面図。
【図６】プレート部材Ａ、Ｂ、Ｃをセットした状態の装飾体を示す側面図。
【図７】プレート部材Ａ、Ｂ、Ｃの形状例を示す側面図。
【図８】プレート部材Ａ、Ｂ、Ｃの形状例を示す側面図。
【図９】振り子運動するプレート部材Ａの運動状態を示す図。
【図１０】振り子運動するプレート部材Ｂの運動状態を示す図。
【図１１】振り子運動するプレート部材Ｃの運動状態を示す図。
【図１２】プレート部材Ｃにおける外部マグネットの配置例を示す図。
【図１３】平面画を、平面画内における任意の奥行き深度に対応させてプレート部材Ａ、Ｂ、Ｃに表示した一例を示した斜視図。
【発明を実施するための形態】
【００２０】
本発明に係る揺動装置の装飾体を、以下、添付図面に基づいて説明する。
【００２１】
図１は、装飾体の構成であり、本発明の装飾体は、所定の駆動手段による駆動力を受けて円弧の一定範囲内を振り子運動するベース体と、ベース体にセットするプレート部材Ａ、プレート部材Ｂ、プレート部材Ｃより構成している。
なお、図面中では説明のためプレート部材をフラットな円盤状を呈するものとしてあるが、実際は図８に示されるように皿状のものとするのが好ましく、かくするとプレート部材に描かれる絵に広がりが出て表現の幅を拡げることができる。
【００２２】
また、少なくともプレート部材Ａ、Ｂは、透明乃至半透明のプレート材によって形成している。
【００２３】
前記ベース体は、図１に示されるように、所定の駆動手段による駆動力を受ける本体１に、通孔２を有する中空固定軸３を設けてなる。
【００２４】
前記プレート部材Ａは、図１に示されるように、錘４により下方重心の例えば円形のプレート体５に、通孔６を有する遊嵌部材７を設ける。
【００２５】
前記プレート部材Ｂは、図１に示されるように、例えば円形のプレート体８に、通孔９および固定ねじ１０を有する固定部材１１を設ける。
【００２６】
前記プレート部材Ｃは、図１に示されるように、プレート部材Ｃの本体となる固定軸１２を設けた錘１３により下方重心の例えば円形のプレート体１４と、本体の両遊端部にマグネット１５、１５を設けかつマグネット１５、１５間に通孔１６および固定ねじ１７を有する固定部材１８を設けたアーム体１９と、外部マグネット２０より構成してなる。
【００２７】
そして図２に示すように、実施例ではベース体の中空固定軸３における基部側よりプレート部材Ａ、Ｂ、Ｃをセットして装飾体を構成していて、ベース体の本体１側からプレート部材Ａのプレート体５、プレート部材Ｂのプレート体８、プレート部材Ｃのプレート体１４である。
また、プレート部材Ａ、Ｂ、Ｃは、ベース体の本体１が鉛直線方向に位置するところでセットする。
【００２８】
図３は、図２における装飾体の分解斜視図を示していて、プレート部材Ａ（図中のアルファベット符合：Ａ）は、遊嵌部材７の通孔６にベース体の中空固定軸３を通してこの中空固定軸３の外側に遊嵌状態にセットされる。
また、プレート部材Ａは錘４により重心がベース体の中空固定軸３よりも下方に位置する。
【００２９】
プレート部材Ｂ（図中のアルファベット符合：Ｂ）は、固定部材１１の通孔９にベース体の中空固定軸３を通して固定ねじ１０によりこの中空固定軸３の外側に固定状態にセットされる。
【００３０】
プレート部材Ｃ（図中のアルファベット符合：Ｃ（１／２）、Ｃ（２／２））は、プレート１４の固定軸１２をベース体の中空固定軸３の通孔２に遊貫させこの通孔２より出る固定軸１２にアーム体１９の固定部材１８における通孔１６を通して、固定後にアーム体１９が揺動できるように固定ねじ１７によりアーム体１９を固定軸１２に固定してセットされる。
そして、外部マグネット２０を、アーム体１９のマグネット１５下方におけるプレート部材Ｃの揺動軌跡線にほぼ合わせて揺動範囲内外の任意の位置にセットする。
また、プレート１４は錘１３により重心がベース体の中空固定軸３よりも下方に位置する。
【００３１】
また、図４に示すように、ベース体の中空固定軸３とともにこの中空固定軸３にセットするプレート部材Ａ、Ｂと、外部マグネット２０を除いたプレート部材Ｃを囲繞する少なくとも前面が透明乃至半透明のカバー部材を設ける場合があり、さらに、カバー部材の本体２１内に背板２２を設けて、この背板２２前面に背景を表示したり、本体内壁や背板部分にアルミ蒸着フィルムなどの反射材やＬＥＤなどの発光体を設けたりする場合がある。
図５は、ベース体に設けたカバー部材内にプレート部材Ａ、Ｂ、Ｃをセットした状態を示していて、ベース体の本体１側からプレート部材Ａのプレート体５、プレート部材Ｂのプレート体８、プレート部材Ｃのプレート体１４である。
【００３２】
そして、カバー部材の本体２１と前面カバー２３の固定、または、同本体２１と背面カバー２４を固定する際は、プレート部材Ｃにおけるアーム体１９のマグネット１５および外部マグネット２０の磁気作用に影響を受けない例えばプラスチックねじや嵌め込みなどの固定手段により固定したり、ピッチの小なるガスねじで嵌め合わせたりして、本体の揺動でも外れにくくするのが望ましい。なお、固定手段の図示は省略した。
【００３３】
また、少なくともプレート部材Ａ、Ｂ、Ｃは、透明乃至半透明のプレート材によって形成している。
【００３４】
また、図６に示すように、カバー部材の前面カバー２３内における前面部に、プレート部Ａ、Ｂ、Ｃにおける所定のプレート部材を設ける場合がある。
図６では、カバー部材の前面カバー２３に、プレート部材Ｂのプレート体８を固定用ナット２５によって固定し、またベース体の本体１における中空固定軸３に、同本体１側からプレート部材Ａのプレート体５、プレート部材Ｃのプレート体１４を設けている。
【００３５】
また、プレート部材Ａ、Ｂ、Ｃは、図７に示すように、これらプレート部材の初期位置となるベース体の本体１が鉛直線方向に位置するところにおいて鉛直線方向に湾曲する形状にする場合がある。
ベース体の本体１側からプレート部材Ａのプレート体５、プレート部材Ｂのプレート体８、プレート部材Ｃのプレート体１４である。
【００３６】
また、プレート部材Ａ、Ｂ、Ｃは、前述したとおり、図８に示すように、周縁よりも中央を前方に突出させた皿状に形成する場合がある。
ベース体の本体１側からプレート部材Ａのプレート体５、プレート部材Ｂのプレート体８、プレート部材Ｃのプレート体１４である。
【００３７】
以下、ベース体の本体１が所定の駆動手段による駆動力を受けて円弧の一定範囲内を振り子運動した際に、ベース体の中空固定軸３に層設したプレート部材Ａのプレート体５、プレート部材Ｂのプレート体８、プレート部材Ｃのプレート体１４の運動形態を説明する。
【００３８】
プレート部材Ａのプレート体５は、図９に示すように、ベース体の本体１が所定の駆動手段による駆動力を受けて円弧の一定範囲内を振り子運動すると、同プレート体５は、ベース体の本体１における中空固定軸３回りに殆ど傾くことなく振り子運動を行う。
【００３９】
プレート部材Ｂのプレート体８は、図１０に示すように、ベース体の本体１が所定の駆動手段による駆動力を受けて円弧の一定範囲内を振り子運動すると、プレート体８は、ベース体の本体１と同じに振り子運動を行う。
【００４０】
プレート部材Ｃのプレート体１４は、図１１中の（ａ）乃至（ｃ）に示すように、ベース体の本体１が所定の駆動手段による駆動力を受けて円弧の一定範囲内を振り子運動すると、図１１中の（ａ）に示されるように、アーム体１９のマグネット１５と外部マグネット２０間に磁気作用が生じにくい磁気作用「無」エリアを通過する際は、同プレート体１４は、ベース体の本体１における中空固定軸３回りに殆ど傾くことなく振り子運動を行い、図１１中の（ｂ）、（ｃ）に示されるように、アーム体１９のマグネット１５と外部マグネット２０間に磁気作用が生じる磁気作用「有」エリアを通過する際には、アーム体１９のマグネット１５と外部マグネット２０間に生じる磁気吸引力もしくは磁気反発力により、同プレート体１４は、ベース体の本体１における中空固定軸３回りに傾く。
図１１中の（ｂ）は、アーム体１９のマグネット１５と外部マグネット２０間に磁気吸引力が生じ、図１１中の（ｃ）は、アーム体１９のマグネット１５と外部マグネット２０間に磁気反発力が生じる。かくして、アーム体１９は揺動による磁気作用の変化によって複雑に角度を変え、プレート体１４の動きが多様に表現される。
【００４１】
図１２は、外部マグネット２０を例えば３つ設けた一例であり、プレート部材Ｃにおけるプレート体１４は、これら外部マグネット２０とアーム体１９のマグネット１５との間に生じる所定の磁気作用により、同プレート体１４は、ベース体の本体１における中空固定軸３回りに傾く。
【００４２】
そして、平面画を、平面画内における任意の奥行き深度に対応させてプレート部材Ａ、Ｂ、Ｃの３つに表示した一例を、図１３に示す。
【００４３】
図１３中の（ａ）は、元になる平面画であり、この平面画を、プレート部材の枚数（Ａ、Ｂ、Ｃ）に対応するよう平面画内における３つの奥行き深度に対応する部分を選定し、この選定した部分をプレート部材Ａ、Ｂ、Ｃにそれぞれ表示する（図１３中の（ｂ））。
【００４４】
したがって、図１３中の（ｂ）におけるプレート部材Ａには、平面画内の奥行き深度が最奥になる「水面と奥に見える島」を表示し、プレート部材Ｂには、平面画内の奥行き深度が中間になる「波」を表示し、プレート部材Ｃには、平面画内の奥行き深度が最前になる「波に漂うヨット」を表示している。
【００４５】
また、元になる平面画（図１３中の（ａ））で、例えばヨットの帆で隠れた「水面と奥に見える島」の部分は、想像して描くようにする。
【００４６】
したがって、これらプレート部材Ａ、Ｂ、Ｃを中空固定軸３に層設したベース体を所定の駆動手段による駆動力によって円弧の一定範囲内を振り子運動させることにより、平面画内の奥行き深度に対応する部分をそれぞれ表示したプレート部材Ａ、Ｂ、Ｃがそれぞれ個別の動きをして、このプレート部材Ａ、Ｂ、Ｃを中空固定軸３の前方より見ることで平面画に立体の動きが生じる。
【００４７】
また、実施例ではプレート部材Ｂのプレート体８を円形に形成しているが、このプレート部材Ｂはベース体の中空固定軸３に固定するので、ベース体の振り子運動に支障が出ない範囲内において円形以外の形状にする場合がある。
【００４８】
また、プレート部材Ｃにおけるアーム体１４のマグネット１５乃至外部マグネット２０における所定部位のマグネットを、磁気吸着可能な金属体に替えて構成する場合がある。
【００４９】
また、プレート部材Ｃにおけるアーム体１４のマグネット１５乃至外部マグネット２０を、その配置位置を調整できるようにする場合がある。
【００５０】
また、プレート部材Ｃにおけるプレート体１４が、プレート体１４の固定軸１２にアーム体１９を固定することにより、プレート体１４の重心が同下方に位置するようにする場合がある。
【００５１】
また、ベース体の中空固定軸３の外側に遊嵌するプレート部材Ａの自由動、同中空固定軸３の通孔２に固定軸１２を遊貫するプレート部材Ｃの自由動をよりスムースにするため、プレート部材Ａの遊嵌部材７、ベース体の中空固定軸３に摩擦低減手段たる所定のベアリングを設ける場合がある。
【００５２】
実施例では、プレート部材Ａ、Ｂ、Ｃを全て用いたものを示しているが、例えば絵画や写真また文字や数字など被表示物の形態により、プレート部材Ａ、Ｂ、Ｃのうちで適するプレート部を選定し、かつ数量も選定して用いる。
【符号の説明】
【００５３】
１  本体
２  通孔
３  中空固定軸
４  錘
５  プレート体
６  通孔
７  遊嵌部材
８  プレート体
９  通孔
１０  固定ねじ
１１  固定部材
１２  固定軸
１３  錘
１４  プレート体
１５  マグネット
１６  通孔
１７  固定ねじ
１８  固定部材
１９  アーム体
２０  外部マグネット
２１  カバー部材の本体
２２  背板
２３  前面カバー
２４  背面カバー
２５  固定用ナット
【図１】
0005468508.tif 000002
【図２】
0005468508.tif 000003
【図３】
0005468508.tif 000004
【図４】
0005468508.tif 000005
【図５】
0005468508.tif 000006
【図６】
0005468508.tif 000007
【図７】
0005468508.tif 000008
【図８】
0005468508.tif 000009
【図９】
0005468508.tif 000010
【図１０】
0005468508.tif 000011
【図１１】
0005468508.tif 000012
【図１２】
0005468508.tif 000013
【図１３】
0005468508.tif 000014